【手続補正書】
【提出日】平成16年10月21日(2004.10.21)
【手続補正１】
【補正対象書類名】明細書
【補正対象項目名】特許請求の範囲
【補正方法】変更
【補正の内容】
【特許請求の範囲】
【請求項１】  擬似雑音（ＰＮ）符号を捕捉する方法であって、
スマートアンテナアレーにおける複数の素子から所定のサンプリングレートで取得された複数の逆拡散されたサンプルを累算するステップを含み、上記複数のサンプルは、試行的なＰＮ符号位相エラーによってシフトされたＰＮ符号を使用して逆拡散され、各素子に対して別個の累算値が保持され、
上記逆拡散されて累算された複数のサンプルに基づいてアンテナアレーの重み付けベクトルを更新するステップと、
各素子からの上記逆拡散されて累算された複数のサンプルに、上記更新されたアンテナアレーの重み付けベクトルからの対応する重みで重み付けし、かつ上記重み付けされた複数のサンプルを合成することによって空間的に相関された信号を形成するステップと、
上記空間的に相関された信号をしきい値と比較してＰＮ符号捕捉が達成されたか否かを決定するステップと、
ＰＮ符号捕捉が達成されていなければ、新しい試行的なＰＮ符号位相エラーを選択して、上記累算するステップと上記更新するステップと上記形成するステップと上記比較するステップとを反復するステップとを含む方法。
【請求項２】  上記サンプリングレートはチップレートに等しい請求項１記載の方法。
【請求項３】  上記サンプリングレートはチップレートより速い請求項１記載の方法。
【請求項４】  上記更新するステップは、最小平均２乗アルゴリズムを使用して実行される請求項１記載の方法。
【請求項５】  上記更新するステップは、正規化された最小平均２乗アルゴリズムを使用して実行される請求項１記載の方法。
【請求項６】  上記しきい値は固定されている請求項１記載の方法。
【請求項７】  上記しきい値は適応的である請求項１記載の方法。
【請求項８】  上記適応的なしきい値は、評価された電力に基づいて決定される請求項７記載の方法。
【請求項９】  上記電力を評価する処理は、
各素子から受信された逆拡散されていない信号を累算して複数の累算された拡散信号を形成するステップと、
各素子からの累算された各拡散信号に、上記更新されたアンテナアレーの重み付けベクトルからの対応する重みで重み付けするステップと、
上記累算されて重み付けされた複数の拡散信号を合成するステップとを含む請求項８記載の方法。
【請求項１０】  上記累算されて重み付けされて合成された拡散信号を平均化するステップをさらに含む請求項９記載の方法。
【請求項１１】  上記累算するステップは、１つの観測期間におけるサンプル数より１個だけ少ない数のサンプルに対して実行される請求項１記載の方法。
【請求項１２】  上記更新するステップは上記サンプリングレートとほぼ等しいレートで実行される請求項１記載の方法。
【請求項１３】  上記更新するステップは、１つの観測期間におけるサンプル数より２個だけ少ない数のサンプルに対して実行される請求項１２記載の方法。
【請求項１４】  上記更新するステップは、１つの観測期間におけるサンプル数より２個だけ少ない数よりも少ない数のサンプルに対して実行される請求項１２記載の方法。
【請求項１５】  上記更新するステップが実行される上記サンプルの数は、上記アンテナアレーの重み付けベクトルを更新するために使用されるアルゴリズムの収束レートに基づく請求項１４記載の方法。
【請求項１６】  上記累算するステップと、上記更新するステップと、上記形成するステップと、上記比較するステップと、上記選択するステップとは、基地局で実行される請求項１記載の方法。
【請求項１７】  上記累算するステップと、上記更新するステップと、上記形成するステップと、上記比較するステップと、上記選択するステップとは、移動体装置で実行される請求項１記載の方法。
【請求項１８】  上記基地局は符号分割多重アクセスシステムの一部を形成する請求項１６記載の方法。
【請求項１９】  上記基地局は直接拡散符号分割多重アクセスシステムの一部を形成する請求項１６記載の方法。
【請求項２０】  上記移動体装置は符号分割多重アクセスシステムの一部を形成する請求項１７記載の方法。
【請求項２１】  上記移動体装置は直接拡散符号分割多重アクセスシステムの一部を形成する請求項１７記載の方法。
【請求項２２】  上記累算するステップと、上記更新するステップと、上記形成するステップと、上記比較するステップと、上記選択するステップとは、逆方向リンクに対して実行される請求項１記載の方法。
【請求項２３】  上記累算するステップと、上記更新するステップと、上記形成するステップと、上記比較するステップと、上記選択するステップとは、順方向リンクに対して実行される請求項１記載の方法。
【請求項２４】  複数のサンプルが累算される観測期間は、上記累算するステップの各反復に対して一定である請求項１記載の方法。
【請求項２５】  複数のサンプルが累算される観測期間は、短い観測期間と長い観測期間との間で変化する請求項１記載の方法。
【請求項２６】  複数のサンプルが累算される観測期間は、少なくとも３つの期間の間で変化する請求項１記載の方法。
【請求項２７】  ＰＮ符号捕捉が発生したか否かを決定するために使用されるしきい値を計算する方法であって、
アンテナアレーにおける複数の素子の各素子から受信される逆拡散されていない複数の信号を累算して、別個に保持される複数の拡散されていない累算された信号を形成するステップと、
各素子からの拡散されていない累算された各信号に、更新されたアンテナアレーの重み付けベクトルからの対応する重みで重み付けするステップと、
上記拡散されていない累算されて重み付けされた複数の信号を合成するステップとを含む方法。
【請求項２８】  上記拡散されていない累算されて重み付けされて合成された複数の信号を平均化するステップをさらに含む請求項２７記載の方法。
【請求項２９】  上記しきい値が使用される各観測期間の間に、上記累算するステップと上記重み付けするステップと上記合成するステップと上記平均化するステップとを反復するステップをさらに含む請求項２８記載の方法。
【請求項３０】  擬似雑音（ＰＮ）符号を捕捉する装置であって、
複数の素子を有するアンテナアレーの対応する素子から信号を受信するようにそれぞれ接続されることが可能な複数のチップサンプラと、
対応するチップサンプラから複数のサンプルを受信するようにそれぞれ接続された複数の逆拡散器と、
対応する逆拡散器から複数の逆拡散されたサンプルを受信するようにそれぞれ接続された複数の累算器と、
上記複数の累算器から逆拡散されて累算された複数のサンプルを受信するように接続され、更新されたアンテナアレーの重み付けベクトルを出力する適応型ビーム形成器と、
上記ビーム形成器から上記更新されたアンテナアレーの重み付けベクトルを受信しかつ上記各累算器から逆拡散されて累算されたサンプルを受信するように接続されたＰＮ相関探索器とを備え、上記相関探索器は、上記複数の累算器からの複数の累算されたサンプルに上記更新されたアンテナアレーの重み付けベクトルからの対応する重みで重み付けして空間的に相関された信号を形成するように構成され、上記相関探索器はさらに、上記空間的に相関された信号をしきい値と比較してＰＮ符号捕捉が達成されたか否かを決定するように構成される装置。
【請求項３１】  上記相関探索器に上記しきい値を供給するように接続された適応的なしきい値回路をさらに備えた請求項３０記載の装置。
【請求項３２】  上記適応的なしきい値回路は平均電力計算機回路を備えた請求項３１記載の装置。
【請求項３３】  上記適応的なしきい値回路は、
対応するチップサンプラの出力の平方値を受信するようにそれぞれ接続された複数の第２の累算器と、
最終的な累算値を受信するように各第２の累算器にそれぞれ接続された複数の乗算器とを備え、各乗算器はさらに、上記更新されたアンテナアレーの重み付けベクトルからの対応する重みに基づいた重みで、上記最終的な累算値に重み付けするように構成され、
上記複数の乗算器のそれぞれに接続されて上記複数の乗算器からの出力の総和を形成する加算器を備えた請求項３１記載の装置。
【請求項３４】  上記しきい値は固定されている請求項３０記載の装置。
【請求項３５】  上記複数のチップサンプラはチップレートでサンプリングするように構成された請求項３０記載の装置。
【請求項３６】  上記複数のチップサンプラはチップレートより速いレートでサンプリングするように構成された請求項３０記載の装置。
【請求項３７】  上記適応型ビーム形成器は最小平均２乗アルゴリズムを使用する請求項３０記載の装置。
【請求項３８】  上記適応型ビーム形成器は正規化された最小平均２乗アルゴリズムを使用する請求項３０記載の装置。
【請求項３９】  上記適応型ビーム形成器は上記サンプルレートにほぼ等しいレートで上記アンテナアレーの重み付けベクトルを更新する請求項３０記載の装置。
【請求項４０】  上記適応型ビーム形成器は、上記適応型ビーム形成器が収束するために必要な推定されたサンプル数と安全係数とに基づいて選択されたサンプルにおいて、上記アンテナアレーの重み付けベクトルを更新することを開始するように構成された請求項３９記載の装置。
【請求項４１】  上記適応型ビーム形成器は、観測期間における最後から２番目のサンプルにおいて、上記アンテナアレーの重み付けベクトルを更新することを停止するように構成された請求項４０記載の装置。
【請求項４２】  各チップサンプラが当該アンテナアレーの対応する素子に接続されたアンテナアレーをさらに備えた請求項３０記載の装置。
【請求項４３】  上記アンテナは基地局に設けられた請求項４２記載の装置。
【請求項４４】  上記基地局は符号分割多重アクセスシステムの一部を形成する請求項４２記載の装置。
【請求項４５】  上記基地局は直接拡散符号分割多重アクセスシステムの一部を形成する請求項４２記載の装置。
【請求項４６】  上記アンテナは移動体装置に設けられた請求項４２記載の装置。
【請求項４７】  上記移動体装置は符号分割多重アクセスシステムの一部を形成する請求項４６記載の装置。
【請求項４８】  上記移動体装置は直接拡散符号分割多重アクセスシステムの一部を形成する請求項４６記載の装置。
【請求項４９】  上記相関探索器は簡易探索を実行するように構成された請求項３０記載の装置。
【請求項５０】  上記相関探索器は完全探索を実行するように構成された請求項３０記載の装置。
【請求項５１】  上記相関探索器はシリアル探索を実行するように構成された請求項３０記載の装置。
【請求項５２】  上記相関探索器はシングルドウェル探索を実行するように構成された請求項３０記載の装置。
【請求項５３】  上記相関探索器はデュアルドウェル探索を実行するように構成された請求項３０記載の装置。
【請求項５４】  上記相関探索器はマルチドウェル探索を実行するように構成された請求項３０記載の装置。
【請求項５５】  上記アレー内の隣接する素子間の間隔は搬送波波長の２分の１にほぼ等しい請求項３０記載の装置。
【請求項５６】  ＰＮ符号捕捉が発生したか否かを決定するために使用されるしきい値を計算する装置であって、
対応するチップサンプラからの出力の平方値を受信するようにそれぞれ接続された複数の第２の累算器を備え、上記チップサンプラはアンテナアレーにおける対応する素子から信号を受信するように接続され、
最終的な累算値を受信するように各累算器にそれぞれ接続された複数の乗算器を備え、各乗算器はさらに、上記更新されたアンテナアレーの重み付けベクトルからの対応する重みに基づいた重みで、上記最終的な累算値に重み付けするように構成され、
上記複数の乗算器のそれぞれに接続されて上記複数の乗算器からの出力の総和を形成する加算器を備えた装置。